(57)【要約】  本発明は、第１の主方向を伴う第１の配光１０５を有する第１の光１０３を放つ少なくとも１つの第１の光源１０１と、第１の主方向とは反対の第２の主方向を伴う第２の配光１０６を有する第２の光１０４を放つ少なくとも１つの第２の光源１０２とを備える、反射器において使用するための照明モジュール１００を提供する。口金１０７が、照明モジュール１００を照明器具ソケットに接続する。口金は、口金から延びる長手方向軸線（ＬＡ）を有する。第１の光源１０１は、長手方向軸線上に配置され、第２の光源１０２は、長手方向軸線に対して非零の距離に配置される。第１の主方向及び第２の主方向は、長手方向軸線に対してほぼ垂直である。
2019527458.tif 000002
【特許請求の範囲】
【請求項１】
反射器において使用するための照明モジュールであって、
第１の主方向を伴う第１の配光を有する第１の光を放つように構成された少なくとも１つの第１の光源と、
前記第１の主方向とは反対の第２の主方向を伴う第２の配光を有する第２の光を放つように構成された少なくとも１つの第２の光源と、
前記照明モジュールを照明器具ソケットに接続するための、長手方向軸線を有する口金とを備え、
前記第１の光源が、前記長手方向軸線上に配置されており、前記第２の光源が、前記長手方向軸線に対して非零の距離に配置されており、
前記第１の主方向及び前記第２の主方向が、前記長手方向軸線に対してほぼ垂直である、照明モジュール。
【請求項２】
前記第１の光源及び前記第２の光源を支える支持体を更に備え、前記支持体が、前記口金に取り付けられており、前記長手方向軸線に対して前記第１の光源及び前記第２の光源を回転させるための回転メカニズムを備え、前記第１の光源が、前記長手方向軸線上に保たれている、請求項１に記載の照明モジュール。
【請求項３】
前記支持体が、前記第１の光源及び前記第２の光源を支える熱拡散部材を備える、請求項１又は２に記載の照明モジュール。
【請求項４】
前記熱拡散部材が、前記第１の光源を支える第１の面と、前記第２の光源を支える第２の面とを有し、前記第１の光源と前記第２の光源との間隔が、前記熱拡散部材の厚さを規定しており、前記第１の面及び前記第２の面が、前記第１の光源及び前記第２の光源の位置で幅を有し、前記幅が、前記長手方向軸線に対して垂直に、かつ厚さに対して垂直に広がり、前記厚さが、前記幅の少なくとも２倍である、請求項３に記載の照明モジュール。
【請求項５】
前記厚さが、５ｍｍ〜１００ｍｍの範囲にある、請求項４に記載の照明モジュール。
【請求項６】
前記幅が、１ｍｍ〜３０ｍｍの範囲にある、請求項４に記載の照明モジュール。
【請求項７】
前記照明モジュールが、少なくとも前記第１の光源及び前記第２の光源を封入する少なくとも部分的に光透過性のエンベロープを備える、請求項１乃至６の何れか一項に記載の照明モジュール。
【請求項８】
前記第１の光源が、前記長手方向軸線の方向に延びる第１の発光ダイオードアレイ内に配置された複数の発光ダイオードを備える、請求項１に記載の照明モジュール。
【請求項９】
前記第２の光源が、前記長手方向軸線の方向に延びる第２の発光ダイオードアレイ内に配置された複数の発光ダイオードを備える、請求項１に記載の照明モジュール。
【請求項１０】
前記第１の発光ダイオードアレイが、第１の発光ダイオード列光を第３の主方向に放つように構成された少なくとも第１の発光ダイオード列と、第２の発光ダイオード列光を第４の主方向に放つように構成された少なくとも第２の発光ダイオード列とを備え、合成された前記第１の発光ダイオード列光及び前記第２の発光ダイオード列光が、前記第１の光を前記第１の主方向に提供する、請求項８に記載の照明モジュール。
【請求項１１】
前記第２の発光ダイオードアレイが、第３の発光ダイオード列光を第５の主方向に放つように構成された少なくとも第３の発光ダイオード列と、第６の発光ダイオード列光を第６の主方向に放つように構成された少なくとも第４の発光ダイオード列とを備え、合成された前記第３の発光ダイオード列光及び前記第４の発光ダイオード列光が、前記第２の光を前記第２の主方向に提供する、請求項１乃至１０の何れか一項に記載の照明モジュール。
【請求項１２】
前記第１の発光ダイオード列と前記第２の発光ダイオード列との間の角度と、前記第３の発光ダイオード列と前記第４の発光ダイオード列との間の角度との両方が、６０〜３００度の範囲にある、請求項１乃至１１の何れか一項に記載の照明モジュール。
【請求項１３】
前記第１の光源及び／又は前記第２の光源が、光学要素を備え、前記光学要素が、前記第１の光及び／又は前記第２の光の光路内に配置されており、前記第１の光又は前記第２の光をコリメートするように構成されている、請求項１に記載の照明モジュール。
【請求項１４】
前記照明モジュールが、前記第１の光を反射して、前記第２の配光に少なくとも部分的に重なる前記第１の配光を得るように配置された反射器を備える、請求項１に記載の照明モジュール。
【請求項１５】
前記反射器と、請求項１乃至１３の何れか一項に記載の前記照明モジュールとを備え、前記反射器が、前記第１の光を反射して、前記第２の配光に少なくとも部分的に重なる前記第１の配光を得るように配置されている、照明器具。
【発明の詳細な説明】
【技術分野】
【０００１】
本発明は、固体照明（ＳＳＬ）技術に基づき得る、反射器において使用するための照明モジュールと、照明モジュールを備える照明器具とに関する。
【背景技術】
【０００２】
米国特許第８８４５１３２（Ｂ２）号は、照明具との第１の電気的接触をもたらすために、照明具のソケットと回転可能に係合できる口金部分を有するドライバアセンブリを伴うＬＥＤに基づくランプアセンブリを開示している。ドライバアセンブリは、照明具との第２の電気的接触をもたらす、口金部分に結合された引き込み可能な導電性の先端部分を有する。先端部分は、照明具のソケット部分と電気的に接触しているときに口金に対して相対的に引っ込む。ドライバアセンブリに作動可能に接続されたランプハウジングアセンブリが、ドライバアセンブリに接続されたランプハウジングを有する。ランプハウジングは、少なくとも１つのＬＥＤライトを上に有する少なくとも１つの基板に結合される。基板は、基板及び／又はＬＥＤライトから熱を運び去るヒートシンクに接続されたり、ヒートシンクの一体部品であったりする。ランプハウジングアセンブリは、光源の角度位置を調節するために照明具に対して回転可能である。
【発明の概要】
【発明が解決しようとする課題】
【０００３】
上記をふまえると、本発明の課題は、従来の高輝度フィラメント又はアークランプの直接交換の実現を可能にする照明モジュールを提供することである。例えば、本発明は、関連する照明器具の変更を伴わずに従来の高圧ナトリウムランプの交換を可能にする照明モジュールについて記述するものである。
【課題を解決するための手段】
【０００４】
この課題に対処するために、独立請求項による照明モジュールが提供される。従属請求項により好ましい実施形態が規定される。
【０００５】
本発明の第１の態様によれば、第１の主方向を伴う第１の配光を有する第１の光を放つように構成された少なくとも１つの第１の光源と、第１の主方向とは反対の第２の主方向を伴う第２の配光を有する第２の光を放つように構成された少なくとも１つの第２の光源と、照明モジュールを照明器具ソケットに接続するための、長手方向軸線ＬＡを有する口金とを備え、第１の光源は、長手方向軸線上に配置されており、第２の光源が、長手方向軸線に対して非零の距離に配置されており、第１の主方向及び第２の主方向が、長手方向軸線に対してほぼ垂直である、照明モジュールが提供される。
【０００６】
これにより、本発明は、高圧ナトリウムランプ等の従来の高輝度フィラメント又はアークランプの直接交換を照明器具の変更を伴わずにもたらすことができる照明モジュールを提供する。これは、単一の高輝度アーク又はフィラメントの代わりに、ＬＥＤであり得る２つの光源が使用されるためである。第１のＬＥＤ光源は、反射器の光学中心に配置され、光学中心に向かって導かれる、第１の配光を有する第１の光を提供する。反射器は、第１の配光を有する第１の光を収光して方向転換させ、反射された第１の光にする。第２のＬＥＤ光源は、反射器の光学中心に配置されないが、両方のＬＥＤ光源を十分に冷却できる距離で第１のＬＥＤ光源から離れており、第２の配光を有する第２の光を反射器から離れる方向に提供する。この効果は、照明器具の反射器に対して配置された従来の高輝度フィラメント又はアークランプの光を可能な限り模倣する又は真似するように、反射された第１の光と第２の光が合成される、というものである。反射器は、照明モジュールの一部であってもよく、又は照明器具の一部として照明モジュールから機械的に分離されてもよい。本発明による照明モジュールの構成により、そのような既存の反射器を適正に使用することができる。
【０００７】
米国特許第８８４５１３２（Ｂ２）号において提案される解決策は、高圧ナトリウムランプ等の従来の高輝度ランプの直接交換をもたらすことができない。これは、従来の高輝度フィラメント又はアークランプは、一般に、例えば照明器具等の反射器に対するその特定の位置に起因して反射器によって効率的に集光されコリメートされる、高輝度フィラメント又はアーク形状の光の供給源を作り出すためである。米国特許第８８４５１３２（Ｂ２）号において提案される解決策は、ＬＥＤが反射器に対して言及された特定の位置にないため、照明器具の反射器によって効率的に集光されコリメートされる光を提供する高輝度フィラメント又はアーク形状の供給源を提供しない。ＬＥＤのいずれも、口金の長手方向軸線上に配置されない。よって、米国特許第８８４５１３２（Ｂ２）号において提案される構成は、高圧ナトリウムランプ等の従来の高輝度フィラメント又はアークランプの直接交換をもたらさない。
【０００８】
一実施形態において、照明モジュールは、第１の光源及び第２の光源を支える支持体を更に備え、支持体は、口金に取り付けられており、長手方向軸線に対して第１の光源及び第２の光源を回転させるための回転メカニズムを備え、第１の光源は、長手方向軸線上に保たれている。回転メカニズムにより、第１の光源は、照明器具の反射器への第１の主方向に配置され得、第２の光源は、照明器具の反射器とは反対の第２の主方向に配置され得る。よって、照明器具の反射器は、第１の光を反射してコリメートする。得られる効果は、第１の配光が第２の配光に少なくとも部分的に重なる、というものである。このようにして、照度（つまり、例えば路上等の単位表面積に入射する全光束）は、効果的かつ効率的に増加する。
【０００９】
別の実施形態において、支持体は、第１の光源及び第２の光源を支える熱拡散部材を備える。熱拡散器は、例えば銅又はアルミニウム等の金属のような熱伝導性材料から形成されたヒートシンクである。熱拡散器はまた、ヒートパイプを備えてもよい。ヒートパイプとは、熱伝導の原理と相転移の原理の両方を組み合わせて、２つの固体界面間での熱伝達を効率的にこなす熱伝達デバイスである。得られる効果は、第１の光源及び第２の光源が、ヒートシンク又はヒートパイプによって効果的かつ効率的に冷却される、というものである。
【００１０】
また別の実施形態において、熱拡散部材は、第１の光源を支える第１の面と、第２の光源を支える第２の面とを有する。第１の光源と第２の光源との間隔は、熱拡散部材の厚さＴを規定する。第１の面と第２の面は、第１の光源及び第２の光源の位置で幅Ｗを有する。幅Ｗは、長手方向軸線に対して垂直に、かつ厚さＴに対して垂直に広がり、厚さＴは、幅Ｗの少なくとも２倍である。より好ましくは、厚さＴは、幅Ｗの少なくとも３倍である。最も好ましくは、厚さＴは、幅Ｗの少なくとも４倍である。厚さＴを大きくすることで、第１の光源及び第２の光源の冷却が改善される。幅Ｗを小さくすることで、照明器具の反射器によって反射された光のコリメート状態での光伝達が改善される。
【００１１】
また別の実施形態において、厚さＴは、５ｍｍ〜１００ｍｍの範囲にある。より好ましくは、厚さＴは、５ｍｍ〜５０ｍｍの範囲にある。最も好ましくは、厚さＴは、５ｍｍ〜３０ｍｍの範囲にある。厚さＴを大きくすることで、第１の光源及び第２の光源の冷却が改善される。
【００１２】
また別の実施形態において、幅Ｗは、１ｍｍ〜３０ｍｍの範囲にある。より好ましくは、幅Ｗは、１ｍｍ〜２０ｍｍの範囲にある。最も好ましくは、幅Ｗは、１ｍｍ〜１５ｍｍの範囲にある。幅Ｗを小さくすることで、照明器具の反射器によって反射された光のコリメート状態での光伝達が改善される。
【００１３】
また別の実施形態において、照明モジュールは、少なくとも第１の光源及び第２の光源を封入する少なくとも部分的に光透過性のエンベロープを備える。得られる効果は、第１の光源及び第２の光源が侵入に対して保護される、というものである。エンベロープは、透明である、つまり半透明ではないことが好ましい。得られる効果は、光が他の方向に方向転換されず、照明器具の反射器によって実現されたコリメーションを維持する、というものである。
【００１４】
また別の実施形態において、第１の光源は、長手方向軸線の方向に延びる第１の発光ダイオードアレイ内に配置された複数の発光ダイオードを備える。得られる効果は、複数のＬＥＤが長手方向軸線に配置される一方で、照明モジュールのルーメン出力が増加する、というものである。
【００１５】
また別の実施形態において、第２の光源は、長手方向軸線の方向に延びる第２の発光ダイオードアレイ内に配置された複数の発光ダイオードを備える。得られる効果は、照明モジュールのルーメン出力が増加する、というものである。
【００１６】
また別の実施形態において、第１の発光ダイオードアレイは、第１の発光ダイオード列光を第３の主方向に放つように構成された少なくとも第１の発光ダイオード列と、第２の発光ダイオード列光を第４の主方向に放つように構成された少なくとも第２の発光ダイオード列とを備える。合成された第１の発光ダイオード列光及び第２の発光ダイオード列光は、第１の光を第１の主方向に提供する。得られる効果は、照明モジュールのルーメン出力が増加する、というものである。
【００１７】
別の実施形態において、第２の発光ダイオードアレイは、第３の発光ダイオード列光を第５の主方向に放つように構成された少なくとも第３の発光ダイオード列と、第６の発光ダイオード列光を第６の主方向に放つように構成された少なくとも第４の発光ダイオード列とを備える。合成された第３の発光ダイオード列光及び第４の発光ダイオード列光は、第２の光を第２の主方向に提供する。得られる効果は、照明モジュールのルーメン出力が増加する、というものである。
【００１８】
また別の実施形態において、第１の発光ダイオード列と第２の発光ダイオード列との間の角度θと、第３の発光ダイオード列と第４の発光ダイオード列との間の角度は、６０〜３００度の範囲にある。より好ましくは、角度θは、９０〜２７０度の範囲にある。最も好ましくは、角度θは、１２０〜２４０度の範囲にある。得られる効果は、減少した幅Ｗで照明モジュールのルーメン出力が増加する、というものである。
【００１９】
別の実施形態において、第１の光源及び／又は第２の光源は、光学要素を備える。光学要素は、第１の光又は第２の光の光路内に配置されており、第１の光又は第２の光をコリメートするように構成されている。光学要素は、屈折、回折、反射又は散乱の原理を使用してもよい。光学要素は、例えば、反射器又は内部全反射（ＴＩＲ）要素であってもよい。得られる効果は、光が事前にコリメートされる、というものである。
【００２０】
また別の実施形態において、照明モジュールは反射器を備える。反射器は、第１の光を反射するように配置される。得られる効果は、第１の配光が第２の配光に少なくとも部分的に重なる、というものである。好ましくは、第１の配光と第２の配光の重なりが最大となる。
【００２１】
また別の実施形態において、照明モジュールは照明器具内に配置される。照明器具は、第１の光を反射するように配置される反射器を備える。得られる効果は、第１の配光が第２の配光に少なくとも部分的に重なる、というものである。好ましくは、第１の配光と第２の配光の重なりが最大となる。
【図面の簡単な説明】
【００２２】
ここで、本発明の実施形態が、添付の概略図面を参照して例としてのみ説明され、図面中、対応する参照記号は、対応する部分を示す。
【図１ａ】本発明の一実施形態による照明モジュールの側面図を模式的に描いている。
【図１ｂ】本発明の一実施形態による照明モジュールの正面図を模式的に描いている。
【図２】本発明の別の実施形態による照明モジュールの側面図を模式的に描いている。
【図３ａ】本発明の別の実施形態による照明モジュールの断面図を模式的に描いている。
【図３ｂ】本発明の別の実施形態による照明モジュールの断面図を模式的に描いている。
【図３ｃ】本発明の別の実施形態による照明モジュールの断面図を模式的に描いている。
【図４】本発明の別の実施形態による照明モジュールの断面図を模式的に描いている。
【図５】本発明の別の実施形態による照明モジュールの側面図を模式的に描いている。
【図６】照明器具における照明モジュールの使用を模式的に描いている。
【００２３】
概略図面は必ずしも正しい縮尺ではない。
【００２４】
異なる図における同じ機能を有する同一の特徴部は、同一の参照符号で表されている。
【発明を実施するための形態】
【００２５】
図１ａ及び図１ｂは、本発明の一実施形態による照明モジュール１００の側面図及び正面図をそれぞれ模式的に描いている。照明モジュール１００は、第１の主方向を伴う第１の配光１０５を有する第１の光１０３を放つ少なくとも１つの第１の光源１０１と、第１の主方向とは反対の第２の主方向を伴う第２の配光１０６を有する第２の光１０４を放つ少なくとも１つの第２の光源１０２とを備える。照明モジュール１００は、照明モジュール１００を照明器具ソケット（図１ａ及び図１ｂには図示せず）に接続するための口金１０７を更に備える。口金１０７は長手方向軸線ＬＡを有する。第１の光源１０１は、長手方向軸線ＬＡ上に配置され、第２の光源１０２は、長手方向軸線ＬＡに対して非零の距離に配置される。第１の主方向及び第２の主方向は、長手方向軸線ＬＡに対して垂直である。
【００２６】
第１の光源１０１及び第２の光源１０２は、例えば、ＬＥＤ若しくはレーザ光源、又はそれらの組合せを含んでもよい。
【００２７】
口金は、例えば、金属から作製される。口金は、例えば、エジソン口金又はバヨネットマウント等のキャップである。キャップの他の例としては、非限定的に、Ｅ５（口金径５ｍｍ）、Ｅ１０（口金径１０ｍｍ）、Ｅ１１（口金径１１ｍｍ）、Ｅ１２（口金径１２ｍｍ）、Ｅ１４（口金径１４ｍｍ）、Ｅ１７（口金径１７ｍｍ）、Ｅ２６（口金径２６ｍｍ）、Ｅ２７（口金径２７ｍｍ）、Ｅ２９（口金径２９ｍｍ）、Ｅ３９（口金径３９ｍｍ）又はＥ４０（口金径４０ｍｍ）が挙げられる。照明モジュールは、２つの口金、すなわち、第１の口金及び第２の口金を備えてもよい。例えば、第１の口金は、照明モジュールの第１の端に配置されてもよく、第２の口金は、照明モジュールの第１の端とは反対の第２の端に配置されてもよい。長手方向軸線ＬＡは、第１の口金から第２の口金まで延びる。口金１０７は、管の円形開口又はエンベロープの円形開口に嵌合するように円形であることが好ましい。
【００２８】
照明モジュール１００は、第１の光源１０１及び第２の光源１０２を支える支持体１０８を更に備えてもよく、支持体１０８は、口金１０７に取り付けられているとともに、長手方向軸線ＬＡに対して第１の光源１０１及び第２の光源１０２を回転させるための回転メカニズム１０９を備える。回転メカニズム１０９により、光学中心に配置された第１の光源１０１が、照明器具の反射器（図示せず）に向かって第１の主方向を伴う第１の配光１０５を作り出すことができる。第２の光源１０２は、光学中心から離れて配置されて、照明器具の反射器とは反対の第２の主方向を伴う第２の配光１０６を作り出す。よって、照明器具の反射器は、第１の光１０３を反射してコリメートする。得られる効果は、反射後の第１の配光１０５が、第２の配光１０６に少なくとも部分的に重なり、合成光が第２の主方向に提供される、というものである。このようにして、照度が、効果的及び効率的に高められる。それゆえに、照明モジュール１００の構成は、既存の反射器を有する既存の照明器具内の既存のランプを、この照明器具になんの変更も伴わずに置換できるようなものである。
【００２９】
回転メカニズム１０９は、例えば国際公開第２０１６０１２３３０号に開示されるように、第１の部品及び第２の部品を備えてもよい。第２の部品は第１の部品に重なる。第１にはノッチが設けられる。第２の部品には案内スロットが設けられる。ノッチは、案内スロットに突出し、長手方向軸線ＬＡに対して第１の光源１０１及び第２の光源１０２を回転させられるように案内スロットに沿って移動できる。案内スロットは約１８０度広がってもよい。回転メカニズム１０９はまた、先行技術で知られている任意の他の回転原理に基づいてもよい。回転メカニズム１０９は、例えば照明器具等の反射器に対して第１の光源１０１及び第２の光源１０２の向きを固定するための留め具及び／又はロック手段を更に備えてもよい。よって、例えば、支持体は、第１の部品及び第２の部品を備える。第１の部品は、第２の部品に対して回転可能に取り付けられる。第１の部品は、留め具又はロック構造によって第２の部品に固定することができる。例えば、第１の部品は、ねじ、ピン、又は任意の他の既知の方法を使用して、第２の部品に固定することができる。
【００３０】
支持体１０８は、第１の光源１０１及び第２の光源１０２を支える熱拡散部材１１０を更に備えてもよい。熱拡散器部材１１０は、アルミニウム、アルミニウム合金、マグネシウム、銅、金、及び銀から成る群から選択される金属、好ましくはアルミニウム及び／又は銅等の熱伝導性材料から形成されたヒートシンクであってもよい。熱拡散器部材１１０はまた、ヒートパイプを備えてもよい。ヒートパイプとは、熱伝導の原理と相転移の原理の両方を組み合わせて、２つの固体界面間での熱伝達を効率的にこなす熱伝達デバイスである。熱拡散部材１１０の熱伝導率は、好ましくは少なくとも４０Ｗ・ｍ−１・Ｋ−１、より好ましくは少なくとも８０Ｗ・ｍ−１・Ｋ−１、最も好ましくは少なくとも１００Ｗ・ｍ−１・Ｋ−１である。例えば、アルミニウム製の熱拡散部材１１０の熱伝導率は、約２００Ｗ・ｍ−１・Ｋ−１である。銅製の熱拡散部材１１０の熱伝導率は、約４００Ｗ・ｍ−１・Ｋ−１である。ヒートパイプは典型的に、アルミニウム及び銅に対して一層高い熱伝導率を有する。熱伝導率が比較的高い熱伝導性材料の使用は、放熱を向上させ得、熱伝導率の値が高いほど高いレベルの放熱をもたらし得る。得られる効果は、第１の光源１０１及び第２の光源１０２が、ヒートシンク又はヒートパイプによって効果的かつ効率的に冷却される、というものである。
【００３１】
熱拡散部材１１０は、第１の光源１０１を支える第１の面１１１と、第２の光源１０２を支える第２の面１１２とを有する。第１の面１１１と第２の面１１２との間隔が、熱拡散部材１１０の厚さＴを規定する。第１の面１１１と第２の面１１２は、第１の光源１０１及び第２の光源１０２の位置で幅Ｗ（図１ｂを参照）を有する。幅Ｗは、長手方向軸線ＬＡに対して垂直に、かつ厚さＴに対して垂直に広がり、厚さＴは、幅Ｗの少なくとも２倍である。より好ましくは、厚さＴは、幅Ｗの少なくとも３倍である。最も好ましくは、厚さＴは、幅Ｗの少なくとも４倍である。厚さＴを大きくすることで、第１の光源１０１及び第２の光源１０２の冷却が改善される。幅Ｗを小さくすることで、照明器具の反射器によって反射された光のコリメート状態での光伝達が改善される。
【００３２】
また別の実施形態において、厚さＴは、３ｍｍ〜１００ｍｍの範囲にあるのが好ましい。より好ましくは、厚さＴは、３ｍｍ〜５０ｍｍの範囲にある。最も好ましくは、厚さＴは、３ｍｍ〜３０ｍｍの範囲にある。
【００３３】
また別の実施形態において、幅Ｗは、１ｍｍ〜３０ｍｍの範囲にあるのが好ましい。より好ましくは、幅Ｗは、１ｍｍ〜２０ｍｍの範囲にある。最も好ましくは、幅Ｗは、１ｍｍ〜１５ｍｍの範囲にある。
【００３４】
照明モジュール１００は、少なくとも第１の光源１０１及び第２の光源１０２を封入する少なくとも部分的に光透過性の外囲体１１３を更に備えてもよい。得られる効果は、第１の光源１０１及び第２の光源１０２が侵入に対して保護される、というものである。エンベロープ１１３は、透明である、すなわち半透明ではない（すなわち、光散乱性のコーティング／層を備えていない）ことが好ましい。得られる効果は、光が他の方向に方向転換されず、照明器具の反射器によって実現されたコリメーションを維持する、というものである。照明モジュール１００の光透過性のエンベロープ１１３の中心は、口金１０７に対して長手方向軸線ＬＡに沿って配置される。光透過性のエンベロープ１１３は、例えば、ガラス製又はプラスチック製とすることができる。一例では、光透過性のエンベロープ１１３は、円形の頭部及び円筒状の首部によって形成された洋梨状の形状を有する。ヘッド部はまた、細長くてもよい。
【００３５】
エンベロープは、例えば、軟質ガラス、硬質ガラス、石英ガラス、又は耐熱性プラスチックから作製される。エンベロープは、透明であり、好ましくは非散乱性である。
【００３６】
図２は、本発明の別の実施形態による照明モジュール１００の側面図を模式的に描いている。図２に示すように、第１の光源１０１は、長手方向軸線ＬＡの方向に延びる第１の発光ダイオードアレイ１０１'内に配置された複数の発光ダイオード１０１ａ、１０１ｂ、...、１０１ｎを備えてもよい。得られる効果は、照明モジュール１００のルーメン出力が増加する、というものである。発光ダイオードアレイは、線状の発光ダイオードアレイであることが好ましい。線状の発光ダイオードアレイは、第１の発光ダイオードアレイ方向において、第１の発光ダイオードアレイ方向に垂直な第２の発光ダイオードアレイ方向におけるＬＥＤよりも多くのＬＥＤを備えてもよい。第１の発光ダイオードアレイ方向は、軸線ＬＡと平行であることが好ましい。
【００３７】
また別の実施形態では、第２の光源１０２は、長手方向軸線ＬＡの方向に延びる第２の発光ダイオードアレイ１０２'内に配置された複数の発光ダイオード１０２ａ、１０２ｂ、...、１０２ｎを備えてもよい。得られる効果は、照明モジュール１００のルーメン出力が増加する、というものである。
【００３８】
別の実施形態において、第１の光源１０１と第２の光源１０２の両方は、複数の発光ダイオードを備える。つまり、第１の光源１０１は、長手方向軸線ＬＡの方向に延びる第１の発光ダイオードアレイ１０１'内に配置された複数の発光ダイオード１０１ａ、１０１ｂ、...、１０１ｎを備えてもよく、第２の光源１０２は、長手方向軸線ＬＡの方向に延びる第２の発光ダイオードアレイ１０２'内に配置された複数の発光ダイオード１０２ａ、１０２ｂ、...、１０２ｎを備えてもよい。
【００３９】
図３ａ〜図３ｃは、本発明の別の実施形態による照明モジュール１００の断面図を模式的に描いている。図３ａに示すように、第１の発光ダイオードアレイ１０１'は、第１の発光ダイオード列光１１９を第３の主方向に放つ少なくとも第１の発光ダイオード列１１５と、第２の発光ダイオード列光１２０を第４の主方向に放つように構成された少なくとも第２の発光ダイオード列１１６とを備える。合成された第１の発光ダイオード列光１１９及び第２の発光ダイオード列光１２０は、第１の光を第１の主方向に提供する。よって、第１の光源１０１は、第１の発光ダイオードアレイ１０１'を備える。第１の発光ダイオード列１１９及び第２の発光ダイオード列１２０が長手方向軸線ＬＡ上にもはや精密に配置され得ないが、第１の光源について先に言及された、第１の発光ダイオード列１１９及び第２の発光ダイオード列１２０の重心ＣｏＧが、長手方向軸線ＬＡ上に配置される。よって、発光ダイオードの重心は、光源が配置されない場所に置かれ得る。「第１の光源が長手方向軸線ＬＡ上に配置される」という表現は、第１の発光ダイオード列１１９及び第２の発光ダイオード列光１２０の重心が長手方向軸線ＬＡ上に配置されることである、と解釈されたい。発光ダイオード１０１ａ及び発光ダイオード１０２ａの重心は、両方の発光ダイオードの間の中心点である。第１の発光ダイオード列１１９及び第２の発光ダイオード列１２０の場合、重心はラインを辿る。ラインは、発光ダイオード１０１ａ及び発光ダイオード１０２ａの重心と交わるが、発光ダイオード１０１ｂ及び発光ダイオード１０２ｂ等の重心とも交わる。得られる効果は、照明モジュール１００のルーメン出力が増加する、というものである。発光ダイオードアレイが、３つ以上の発光ダイオード列を備えてもよいことは言うまでもない。例えば、発光ダイオードアレイは、３つの発光ダイオード列を備えてもよい。好ましい実施形態において、重心は、（図３ａ〜図３ｃに示すように）対称中心である。ＬＥＤが互いに近接して配置されることは言うまでもない。隙間（すなわち、隣接する２つのＬＥＤ、例えば、発光ダイオード１０１ａと発光ダイオード１０２ａとの間隔）は、好ましくは１ｍｍ未満であり、より好ましくは０．８未満であり、最も好ましくは０．７ｍｍ未満である。
【００４０】
あらゆる種類の発光ダイオードが使用されてもよい。例えば、ランバーシアン配光をもたらす上部発光体が使用されてもよい。チップ・スケール・パッケージ（ＣＳＰ）ＬＥＤが同じく使用されてもよい。ＣＳＰ  ＬＥＤは、より多くの光を側方に提供する。得られる効果は、第１の発光ダイオード列光１１９と第２の発光ダイオード列光１２０の重なりが最大になる、というものである。
【００４１】
また別の実施形態において、図３ｂに示すように、第２の発光ダイオードアレイ１０２は、第３の発光ダイオード列光１２１を第５の主方向に放つように構成された少なくとも第３の発光ダイオード列１１７と、第６の発光ダイオード列光１２２を第６の主方向に放つように構成された少なくとも第４の発光ダイオード列１１８とを備える。合成された第３の発光ダイオード列光１２１及び第４の発光ダイオード列光１２２は、第２の光を第２の主方向に提供する。よって、第２の光源１０２は、第２の発光ダイオードアレイ１０２'を備える。得られる効果は、照明モジュール１００のルーメン出力が増加する、というものである。
【００４２】
別の実施形態において、図３ｃに示すように、第１の発光ダイオード列１１５と第２の発光ダイオード列１１６との間の角度θと、第３の発光ダイオード列１１７と第４の発光ダイオード列１１８との間の角度は、６０〜３００度の範囲にある。より好ましくは、角度θは、９０〜２７０度の範囲にある。最も好ましくは、角度θは、１２０〜２４０度の範囲にある。得られる効果は、減少した幅Ｗで照明モジュール１００のルーメン出力が増加する、というものである。
【００４３】
第１の光源１０１及び／又は第２の光源１０２が、３つ以上の発光ダイオード列を備えてもよいことは言うまでもない。例えば、第１の光源１０１は、３つの発光ダイオード列を備えてもよい。
【００４４】
図４は、本発明の別の実施形態による照明モジュール１００の断面図を模式的に描いている。第１の光源１０１は、第１の光学要素１２３を備えてもよい。第２の光源１０２は、第２の光学要素１２４を備えてもよい。第１の光学要素１２３及び第２の光学要素１２４は、第１の光１０３及び第２の光１０４の光路内に配置され、第１の光１０３及び第２の光１０４をコリメートするように構成される。光学要素は、屈折、回折、反射又は散乱の原理を使用してもよい。光学要素は、例えば、反射器又は内部全反射（ＴＩＲ）要素であってもよい。得られる効果は、光が事前にコリメートされる、というものである。
【００４５】
図５は、本発明の別の実施形態による照明モジュール１００の側面図を模式的に描いている。照明モジュール１００は、反射器１２５を備える。反射器１２５は、第１の光源１０１の第１の光１０３を反射するように配置される。得られる効果は、第１の配光１０５が第２の配光１０６に少なくとも部分的に重なる、というものである。好ましくは、第１の配光１０５と第２の配光１０６の重なりが最大となる。
【００４６】
反射器１２５が存在する照明モジュール１００では、長手方向軸線ＬＡは、反射器１２５の光学中心ＯＣに延びる。つまり、この実施形態において、照明モジュール１００は、光学中心ＯＣを有する反射器１２５と、第１の配光１０５を有する第１の光１０３を発するように構成された少なくとも１つの第１の光源１０１と、第２の配光１０６を有する第２の光１０４を発するように構成された少なくとも１つの第２の光源１０２と、照明モジュール１００を照明器具ソケットに接続するための口金１０７と、口金１０７から延び、光学中心ＯＣに配置された長手方向軸線ＬＡとを備え、第１の光源１０１が、反射器１２５に向かって導かれる第１の配光１０５を得るために長手方向軸線ＬＡ上に配置され、第２の光源１０２が、反射器１２５から離れるように導かれる第２の配光１０６を得るために長手方向軸線ＬＡに対して非零の距離に配置される。
【００４７】
一実施形態において、反射器１２５は、第１の光源１０１が反射器１２５の光学中心ＯＣに配置されるように、第１の光源１０１に対して配置される。光学中心（ＯＣ）は、長手方向軸線ＬＡに限定されず、長手方向軸線ＬＡの周りの領域を含んでもよい。
【００４８】
図６は、照明器具１２７における照明モジュール１００の使用を模式的に描いている。照明モジュール１００は、照明器具１２７内に配置される。照明器具１２７は、第１の光源１０１の第１の光１０３（図示せず）を反射するように配置された反射器１２５を備える。第２の光は、照明器具１２７の出射窓１２６から直接出射する。得られる効果は、第１の配光１０５が第２の配光１０６に少なくとも部分的に重なる、というものである。好ましくは、第１の配光１０５と第２の配光１０６の重なりが最大となる。
【００４９】
照明器具との用語は、ランプ及びオプションとして反射器を保持するための固定具又は任意の他のデバイスを定義し得る。
【００５０】
例えば、照明モジュール１００は、街灯に適用されるときに、高いルーメン出力及び高い光利用率をもたらし、従来の高圧ナトリウムランプを関連する照明器具の変更を伴わずに交換することを可能にする。
【００５１】
光源は、固体発光体であってもよい。固体発光体の例は、発光ダイオード（ＬＥＤ）、有機発光ダイオードＯＬＥＤ、又は、例えばレーザダイオードである。固体発光体は、コスト的に比較的有利であり、比較的高い効率及び長い寿命を有する。ＬＥＤ光源は、蛍光体変換ＬＥＤ（発光材料を含むＬＥＤ）又は有色ＬＥＤ（発光材料を含まないＬＥＤ）であってもよい。発光材料は、ＬＥＤによって放たれる光の少なくとも一部をより長い波長の光に変換するように配置される。発光材料は、有機蛍光体、無機蛍光体、及び／又は量子ドット系材料であってもよい。
【００５２】
照明モジュール１００は、白色光を提供するように構成されてもよい。本明細書における白色光という用語は、当業者によって知られており、約２，０００Ｋ〜２０，０００Ｋの相関色温度（ＣＣＴ）を有する白色光に関する。一実施形態において、ＣＣＴは、２，５００Ｋ〜１０，０００Ｋである。通常、一般照明では、ＣＣＴは、約２７００Ｋ〜６５００Ｋの範囲にある。好ましくは、用語は、ＢＢＬ（black body locus、黒体軌跡）からの約１５、１０又は５ＳＤＣＭ（standard deviation of color matching、カラーマッチングの標準偏差）内のカラーポイントを有する白色光に関する。好ましくは、用語は、少なくとも７０〜７５、一般照明では少なくとも８０〜８５の色調指数（ＣＲＩ）を有する白色光に関する。
【００５３】
「実質的に全ての光（substantially all light）」、又は「実質的に成る（substantially consists）」などにおける、本明細書の「実質的に（substantially）」という用語は、当業者には理解されるであろう。用語「実質的に」はまた、「全体的に（entirely）」、「完全に（completely）」、「全て（all）」などを伴う実施形態も含み得る。それゆえ、実施形態では、この形容詞はまた、実質的に削除される場合もある。適用可能な場合、用語「実質的に」はまた、９５％以上、特に９９％以上、更に特に９９．５％以上などの、１００％を含めた９０％以上にも関連し得る。用語「含む（comprise）」は、用語「含む（comprise）」が「から成る（consists of）」を意味する実施形態もまた含む。用語「及び／又は」は、特に、その「及び／又は」の前後で言及された項目のうちの１つ以上に関連する。例えば、語句「項目１及び／又は項目２」、及び同様の語句は、項目１及び項目２のうちの１つ以上に関連し得る。用語「含む（comprising）」は、一実施形態では、「から成る（consisting of）」を指す場合もあるが、別の実施形態ではまた、「少なくとも定義されている種、及びオプションとして１つ以上の他の種を包含する」も指す場合がある。
【００５４】
更には、明細書本文及び請求項での、第１、第２、第３などの用語は、類似の要素を区別するために使用されるものであり、必ずしも、連続的又は時系列的な順序を説明するために使用されるものではない。そのように使用される用語は、適切な状況下で交換可能であり、本明細書で説明される本発明の実施形態は、本明細書で説明又は図示されるもの以外の、他の順序での動作が可能である点を理解されたい。
【００５５】
本明細書のデバイスは、とりわけ、動作中について説明されている。当業者には明らかとなるように、本発明は、動作の方法又は動作時のデバイスに限定されるものではない。
【００５６】
上述の実施形態は、本発明を限定するものではなく、むしろ例示するものであり、当業者は、添付の請求項の範囲から逸脱することなく、多くの代替的実施形態を設計することが可能となる点に留意されたい。請求項では、括弧内のいかなる参照符号も、その請求項を限定するものとして解釈されるべきではない。動詞「含む（to comprise）」及びその活用形の使用は、請求項に記述されたもの以外の要素又はステップが存在することを排除するものではない。要素に先行する冠詞「１つの（a）」又は「１つの（an）」は、複数のそのような要素が存在することを排除するものではない。本発明は、いくつかの個別要素を含むハードウェアによって、及び、好適にプログラムされたコンピュータによって実装されてもよい。いくつかの手段を列挙するデバイスの請求項では、これらの手段のうちのいくつかは、１つの同一のハードウェア物品によって具現化されてもよい。特定の手段が、互いに異なる従属請求項内に列挙されているという単なる事実は、これらの手段の組み合わせが、有利に使用され得ないことを示すものではない。
【００５７】
本発明は更に、明細書本文で説明される特徴及び／又は添付図面に示される特徴のうちの１つ以上を含む、デバイスに適用される。本発明は更に、明細書本文で説明される特徴及び／又は添付図面に示される特徴のうちの１つ以上を含む、方法又はプロセスに関する。
【００５８】
本特許で論じられている様々な態様は、更なる利点をもたらすために組み合わされることも可能である。更には、当業者は、実施形態が組み合わされることも可能であり、また、３つ以上の実施形態が組み合わされることも可能である点を理解するであろう。更には、特徴のうちのいくつかは、１つ以上の分割出願のための基礎を形成し得るものである。
【図１ａ】
2019527458.tif 000003
【図１ｂ】
2019527458.tif 000004
【図２】
2019527458.tif 000005
【図３Ａ】
2019527458.tif 000006
【図３Ｂ】
2019527458.tif 000007
【図３Ｃ】
2019527458.tif 000008
【図４】
2019527458.tif 000009
【図５】
2019527458.tif 000010
【図６】
2019527458.tif 000011
【国際調査報告】
2019527458.tif 000012
2019527458.tif 000013